(57)【要約】      （修正有）【課題】単純な構成で良好な寝心地と保温性を確保することができ、枕カバーを汚さない温肩タオルを提供する。    【解決手段】就寝時に首から肩の部分を保温するタオル１であって、該タオルは、該タオルを広げた矩形形状の４辺の内、首部分に当接する１辺の中央部分が略半円形の切れ込み部３を有している。【選択図】図２
0003223940.tif 000002
【実用新案登録請求の範囲】
【請求項１】
就寝時に首から肩の部分を保温するタオルであって、
該タオルは、該タオルを広げた矩形形状の４辺の内、首部分に当接する１辺の中央部分が略半円形の切れ込み部を有している、
ことを特徴とする温肩タオル。
【請求項２】
上記切れ込み部のタオル地端部には所定の処理がなされていることを特徴とする、請求項１に記載の温肩タオル。
【請求項３】
上記切れ込み部を有する１辺に対向する１辺には別の寝具との接続用装置が備えられていることを特徴とする、請求項１または２に記載の温肩タオル。
【考案の詳細な説明】
【技術分野】
【０００１】
本考案は、温肩タオルに関する。
【背景技術】
【０００２】
タオルケットは、身体の上にかけたり身体をくるんだりして使用する寝具である。タオル（ｔｏｗｅｌ）と、毛布を意味するブランケット（ｂｌａｎｋｅｔ）を掛け合わせた和製英語であって英語ではバスシート（ｂａｔｈ  ｓｈｅｅｔｓ）と呼ばれる。
タオルケットは主に夏場に使用され、通気性や保水性に優れたタオル地により快適な寝心地を確保しつつ、体温を下げすぎないようにするために使用される。
材質としては、綿や、綿とポリエステル等の混紡糸を織り上げたタオル地が用いられることが多い。
【０００３】
上記のタオルケットの使われ方からも寝心地と保温性が重要視されていることがわかるが、夏場は特に首回りが覆われると汗の蒸発が妨げられて暑苦しく感じられる。かといって首回りを露出させる掛け方だと肩まで露出してしまい、保温上好ましくない。結局、首回りをだけを露出させるべくタオルケットの辺の中央を押し下げて変形させて使用することになり、タオルケットにしわが寄ってしまう、首の部分に布の固まりが生じてしまう等、決して掛け心地が良いとは言えない使い方をせざるを得なかった。
また、冬場に寝具を使用する際の問題として、就寝中に肩部が露出してしまって体が冷えてしまうということがあった。さらに、季節を問わず就寝中の頭部の発汗によって枕カバーが汚れてしまうのだが、頻繁に洗濯して取り替えるのは容易でないため結果として枕カバーを清潔に保つことが困難となっていた。  
【０００４】
特許文献１には、乳幼児等の使用者の肩、胸部上部、手先なども簡単に覆うことができ、かぶせた布のずり落ちを防止することができるタオルケットの考案が開示されている。
【先行技術文献】
【特許文献】
【０００５】
【特許文献１】実用新案登録第３１８００６０号公報
【考案の概要】
【考案が解決しようとする課題】
【０００６】
しかしながら、特許文献１のタオルケットは形状がやや複雑であって、使用者の寝心地と保温性を簡易な形状で実現するものではなく、製作も極めて容易とはいえないものである。また、枕カバーの汚れ対策としても効果を発揮するものではない。
【０００７】
本考案は上記問題点に鑑み、単純な構成で夏場の使用においては良好な寝心地と保温性を確保することができ、冬場の使用においても肩部の保温性を確保できるタオル（以降「温肩タオル」と記す）を提供することを課題とする。  
【課題を解決するための手段】
【０００８】
上記課題を解決するために、請求項１の考案は、就寝時に首から肩の部分を保温するタオルであって、タオルを広げた矩形形状の４辺の内、首部分に当接する１辺の中央部分が略半円形の切れ込み部を有していることを特徴とする。
請求項２の考案はさらに、切れ込み部のタオル地端部には所定の処理がなされていることを特徴とする。
請求項３の考案はさらに、切れ込み部を有する１辺に対向する１辺には別の寝具との接続用装置が備えられていることを特徴とする。
【考案の効果】
【０００９】
本考案により、単純な構成で良好な寝心地と保温性を確保することができ、枕カバーを清潔に保つことが容易な温肩タオルが提供される。
【図面の簡単な説明】
【００１０】
【図１】本考案の第１の実施形態を示す模式図である。
【図２】第１の実施形態の使用状態例を示す模式図であり、（ａ）は夏場の使用例、（ｂ）は冬場の使用例を示す。
【図３】本考案の第２の実施形態を示す模式図である。
【図４】本考案の第３の実施形態を示す模式図である。
【考案を実施するための形態】
【００１１】
以下、本考案の第１の実施形態について図を用いて説明する。まず本実施形態の構成について説明する。
【００１２】
図１に示すように、就寝時に首から肩の部分を保温するタオル１であって、タオル１を広げた矩形形状の４辺２ａ〜２ｄの内、首部分に当接する１辺２ａの中央部分２ｅが略半円形の切れ込み部３を有している。タオル１の長さ２ｂ、２ｃの寸法は特に規定しない。用途に合った長さとしてよい。
切れ込み部３のタオル地端部３ａには所定の処理、本実施形態では所定の端部処理がなされている。
【００１３】
次に、本実施形態の機能ついて説明する。
図２（ａ）に示すように、使用者は就寝時に切れ込み部３を首の部分に配設することで、夏場の使用時において首回りに布の固まりによる停滞を生じることがなく、暑さがこもるようなこともなく良好な寝心地が得られる。同時に直線部４ａ、４ｂが使用者の両肩を覆うため保温性も確保される。
切れ込み部３のタオル地端部３ａには上記所定の端部処理によりほつれ防止がなされているため、良好な肌触りが保持される。
【００１４】
また、冬場の使用時においては図２（ｂ）に示すように、辺２ｂ、２ｃの短い温肩タオル１を頭部の側から両肩にかぶせる態様で使用することにより、就寝時に肩部の露出を防止して保温性を確保することができる。この態様による使用方法によれば、温肩タオル１を枕カバー９に被せて使用することになるため、枕カバー９が頭部の発汗によって汚れることがなくなり温肩タオル１を洗濯すればよいため便利である。
【００１５】
本実施形態の温肩タオル１は、材質として通常のタオルケットに使用される木綿を用いているが、ウールなどの材質を用いて夏場以外の使用に対応させることも可能である。
【００１６】
また、本実施形態の温肩タオル１は全体が1つの材質で製作されているが、図３に示すように、切れ込み部３を有する上部５のみを通常のタオルケットで構成し、その下部６は保温性を高める等、別の機能を有する材質で構成し、両者をボタン８やファスナー等で連結する構成としてもよい。
【００１７】
また、図４に示すように、切れ込み部３の周囲３ｂのみを通常のタオルケットで構成し、両側の直線部４ａ、４ｂの部分を含めた残りの部分７を目的に応じた別の材質で作成して上記同様に連結する構成としてもよい。
【符号の説明】
【００１８】
１  タオル、温肩タオル
２ａ〜２ｄ  辺  
２ｅ  中央部分
３  切れ込み部
３ａ  タオル地端部
３ｂ  周囲
４ａ、４ｂ  直線部
５  上部
６  下部
７  残りの部分
８  ボタン
９  枕カバー
【図１】
0003223940.tif 000003
【図２】
0003223940.tif 000004
【図３】
0003223940.tif 000005
【図４】
0003223940.tif 000006
【手続補正書】
【提出日】令和1年9月9日(2019.9.9)
【手続補正１】
【補正対象書類名】実用新案登録請求の範囲
【補正対象項目名】請求項２
【補正方法】変更
【補正の内容】
【請求項２】
上記切れ込み部のタオル地端部にはほつれ防止の処理がなされていることを特徴とする、請求項１に記載の温肩タオル。
【手続補正２】
【補正対象書類名】明細書
【補正対象項目名】０００８
【補正方法】変更
【補正の内容】
【０００８】
上記課題を解決するために、請求項１の考案は、就寝時に首から肩の部分を保温するタ
オルであって、タオルを広げた矩形形状の４辺の内、首部分に当接する１辺の中央部分が
略半円形の切れ込み部を有していることを特徴とする。
請求項２の考案はさらに、切れ込み部のタオル地端部にはほつれ防止の処理がなされていることを特徴とする。
請求項３の考案はさらに、切れ込み部を有する１辺に対向する１辺には別の寝具との接
続用装置が備えられていることを特徴とする。
【手続補正３】
【補正対象書類名】明細書
【補正対象項目名】００１２
【補正方法】変更
【補正の内容】
【００１２】
図１に示すように、就寝時に首から肩の部分を保温するタオル１であって、タオル１を
広げた矩形形状の４辺２ａ〜２ｄの内、首部分に当接する１辺２ａの中央部分２ｅが略半
円形の切れ込み部３を有している。タオル１の長さ２ｂ、２ｃの寸法は特に規定しない。
用途に合った長さとしてよい。
切れ込み部３のタオル地端部３ａにはほつれ防止の処理がなされている。
【手続補正４】
【補正対象書類名】明細書
【補正対象項目名】００１３
【補正方法】変更
【補正の内容】
【００１３】
次に、本実施形態の機能ついて説明する。
図２（ａ）に示すように、使用者は就寝時に切れ込み部３を首の部分に配設することで、夏場の使用時において首回りに布の固まりによる停滞を生じることがなく、暑さがこもるようなこともなく良好な寝心地が得られる。同時に直線部４ａ、４ｂが使用者の両肩を
覆うため保温性も確保される。
切れ込み部３のタオル地端部３ａにはほつれ防止がなされているため、良好な肌触りが保持される。